(57)【要約】【課題】例えば球皿部への遊技球の補給という面倒な作業回数を減らして遊技に集中できるなど遊技者へのサービス向上を図ることができるようにした遊技機を提供する。【解決手段】開閉部材６の前面に打球発射部２７ａへ供給される遊技球を貯留する球受皿５が装着され、球受皿５はその球皿部３１の底壁３１ａの上面が開閉部材６に沿って一方へ緩やかに下傾しており、開閉部材６には球皿部３１の下流側に位置して球皿部３１の遊技球を打球発射部２７ａへ供給するための球通口１９が開設される遊技機Ｐであって、球皿部３１の底壁３１ａの上面に球通口１９よりも上流側に位置して開閉部材６の前面から上流側へ延びる仕切り壁３５を突設し、開閉部材６と仕切り壁３５との間に底壁部３６ａの上面が球皿部の上流側に向かって緩やかに下傾する球留り部３６を成形した構成からなる。【選択図】図４
2008029795.tif 000002
【特許請求の範囲】
【請求項１】
開閉部材の前面に打球発射部へ供給される遊技球を貯留する球受皿が装着され、前記球受皿はその球皿部の底壁上面が前記開閉部材に沿って一方へ緩やかに下傾しており、前記開閉部材には前記球皿部の下流端に位置して該球皿部の遊技球を前記打球発射部へ供給するための球通口が開設される遊技機であって、
前記球皿部の底壁上面に前記球通口よりも上流側に位置して開閉部材の前面から上流側へ延びる仕切り壁を突設し、前記開閉部材と前記仕切り壁との間に底壁部上面が球皿部の上流側に向かって緩やかに下傾し前記底壁上面と連なる球留り部を成形し、球皿部の遊技球は前記球留り部の外側の底壁上面を転動して前記球通口に流入するようにしたことを特徴とする遊技機。
【請求項２】
前記球皿部の底壁上面にその上流側から前記球通口に至るまで漸次深くなりかつ一個の遊技球が流下し得る程度の溝幅を有する球誘導溝を設け、前記球誘導溝の側縁に該球誘導溝よりも高く一個の遊技球が乗り得る幅の段条部を設けた請求項１記載の遊技機。
【請求項３】
前記球受皿の底壁であって前記球通口の前側における所定の位置に１個の遊技球が通過し得る程度の大きさの球抜口を開設した請求項１又は２記載の遊技機。
【発明の詳細な説明】
【技術分野】
【０００１】
本発明は、透明板保持枠、前板等の開閉部材の前面に打球発射部へ供給するための遊技球を貯留する球受皿が装着される遊技機に関するものである。
【背景技術】
【０００２】
従来、例えば遊技機の一種であるパチンコ遊技機は、遊技盤が配設される遊技機本体の前面に、該遊技盤の前面を覆う開閉部材としての透明板保持枠または遊技盤の下部前面を覆う同じく開閉部材としての前板が開閉自在に装着されている。該前板の前面には打球発射部へ供給される遊技球を貯留する球受皿が装着される。該球受皿は、その球皿部の底壁上面が前記開閉部材に沿って一方へ緩やかに下傾しており、また、球皿部の下流端に位置して前板に球皿部の遊技球を打球発射部へ供給するための球通口が開設されている。そして、球通口に向かって前板の前面には、球皿部の内周壁面を内側へ膨出させて前板との間の前後幅を狭め、その部位に球噛みを起こさないように遊技球を一列に整流させて球通口まで導く整流通路が設けられている（例えば、特許文献１参照。）。
【０００３】
【特許文献１】特開平１０−１７４７６０号公報（第４頁段落００１４、図４）
【発明の開示】
【発明が解決しようとする課題】
【０００４】
前記特許文献１のパチンコ遊技機にあっては、遊技球を球通口へ導く整流通路を成形するため球皿部の内周壁面を内側へ膨出させる必要があることから、その分狭められて球皿部における遊技球の貯留範囲が比較的小さかった。このため、例えば貯留される遊技球が早くなくなり易く、このような場合は該球皿部への遊技球の補給回数が多く面倒になるばかりか遊技に集中できないなど遊技者へのサービスに欠けるといった課題が有る。
【０００５】
そこで、本発明は上記課題を解決すべくなされたもので、球皿部の貯留範囲を広げて球貯留量を増やし、例えば球皿部への遊技球の補給という面倒な作業回数が減らせて遊技に集中できるなど遊技者へのサービス向上を図ることができるようにした遊技機を提供することを目的とするものである。
【課題を解決するための手段】
【０００６】
かかる目的を達成するため本発明の遊技機は、開閉部材の前面に打球発射部へ供給される遊技球を貯留する球受皿が装着され、前記球受皿はその球皿部の底壁上面が前記開閉部材に沿って一方へ緩やかに下傾しており、前記開閉部材には前記球皿部の下流端に位置して該球皿部の遊技球を前記打球発射部へ供給するための球通口が開設される遊技機であって、前記球皿部の底壁上面に前記球通口よりも上流側に位置して開閉部材の前面から上流側へ延びる仕切り壁を突設し、前記開閉部材と前記仕切り壁との間に底壁部上面が球皿部の上流側に向かって緩やかに下傾し前記底壁上面と連なる球留り部を成形し、球皿部の遊技球は前記球留り部の外側の底壁上面を転動して前記球通口に流入するようにした構成からなる。
【０００７】
この際、前記球皿部の底壁上面にその上流側から前記球通口に至るまで漸次深くなりかつ一個の遊技球が流下し得る程度の溝幅を有する球誘導溝を設け、球誘導溝の側縁に該球誘導溝よりも高く一個の遊技球が乗り得る幅の段条部を設けることが好ましい。また、前記球受皿の底壁であって前記球通口の前側における所定の位置に１個の遊技球が通過し得る程度の大きさの球抜口を開設することが好ましい。
【発明の効果】
【０００８】
本発明に係る遊技機は、球皿部の底壁上面に球通口よりも上流側に位置して開閉部材の前面から上流側へ延びる仕切り壁を突設し、開閉部材と仕切り壁との間に底壁部上面が球皿部の上流側に向かって緩やかに下傾し底壁上面と連なる球留り部を成形し、球皿部の遊技球は前記球留り部の外側の底壁上面を転動して球通口に流入するようにした構成からなる。これによって、従来のように遊技球を球通口へ導く整流通路を成形するため球皿部の内周壁面を内側へ膨出させる必要がなくなり、その分広げられて球皿部における遊技球の貯留範囲が広められ球貯留量を増やすことができる。よって、例えば貯留される遊技球がなくなったときの球皿部への遊技球の補給という面倒な多くの作業回数が減らされ遊技に集中できるなど遊技者へのサービス向上を図ることができるという効果がある。
【０００９】
また、球皿部の底壁上面に球通口よりも上流側に位置して底面部が上流側に向かって緩やかに下傾する球留り部を成形してなるので、球受皿に貯留される遊技球の内、該球留り部に貯留される遊技球の球圧は球通口付近の遊技球には加わらないので、その分球通口の近くにある遊技球への球圧が軽減され、これにより球噛みも防止されるという効果がある。
【００１０】
更に、前記球皿部の底壁上面にその上流側から球通口に至るまで漸次深くなりかつ一個の遊技球が流下し得る程度の溝幅を有する球誘導溝を設け、該球誘導溝の側縁に該球誘導溝よりも高く一個の遊技球が乗り得る幅の段条部を設けるようにすれば、その段条部に遊技球が乗ることにより同じく球通口付近の遊技球への球圧が更に軽減され、球噛み防止効果が一段と向上する。更にまた、前記球受皿の底壁であって球通口の前側における所定の位置に１個の遊技球が通過し得る程度の大きさの球抜口を開設し、該球抜口に遊技球を流入させて逃がすようにしたので、その付近に遊技球が溜まっても球崩し作用が働いて遊技球同士が釣り合い動かなくなってしまう所謂球噛み現象が抑制される。
【発明を実施するための最良の形態】
【００１１】
以下、本発明に係る遊技機の実施の形態を図面に基づき説明する。なお、遊技機には、例えば、パチンコ遊技機、アレンジボール機、雀球遊技機、パロット（登録商標）機等の遊技機に適用できるが、本発明にあっては、その一例としてパチンコ遊技機について説明する。図１は本発明に係るパチンコ遊技機の正面図、図２は透明板保持枠及び前板を開いた状態のパチンコ遊技機の斜視図である。
【００１２】
パチンコ遊技機Ｐは、外側に縦長長方形状の外枠１を有し、その前面に内枠２がその一側を支点として開閉自在に装着され、該内枠２に遊技盤３が設置される。また、該内枠２の前面には、その上部に前記遊技盤３の前面を覆う透明板保持枠４が開閉自在に装着され、その下方に打球発射部（図示せず。）へ供給される打球としての遊技球を貯留する上部の球受皿５が設けられた開閉部材としての前板６が開閉自在に装着される。
【００１３】
前記前板６の前面であって前記上部の球受皿５の下方に、該上部の球受皿５から溢れる遊技球を貯留する下部の球受皿７が装着される。これら上・下の球受皿５，７は図３に示すようにカバー部材８により上下で連続して一体に成形されており、その前面に下部の球受皿７に手を差し込める開口９が開設される。該開口９の下方のカバー部材８の前面に、下部の球受皿７に溜まった遊技球を正面から見て左右方向へ摺動して球抜きするための球抜きレバー１０が設けられる。前板６における下部の球受皿７の一側には灰皿１１が装着され、他側は凹弧状に切り欠かれると共にその切り欠かれた凹弧状部６ａに内枠２の下隅角部に設けられ前方ヘ突出する突出隅部１２が合致する。該突出隅部１２の前面には、遊技球である打球の発射力を調整するための打球力調整ハンドル１３が装着されている。
【００１４】
図１、図２に示すように前記遊技盤３の前面に、渦巻状に敷設された内側・外側ガイドレール１４ａ，１４ｂに囲われて遊技部３ａが成形される。そして、該遊技部３ａに、その中央に位置して数字、図柄等の情報を変動表示する可変表示装置１５、遊技球の入賞によって前記情報を変動させる始動入賞口１６が装着される。また、その下方に、前記可変表示装置１５の情報が特定の表示（例えば、「７７７」）に揃ったとき、一定の条件の下で一度に多くの賞球としての遊技球が得られる入賞装置１７が装着されている。
【００１５】
前記前板６には、その一方に内枠２の裏側に装着される球払出装置（図示せず。）から払い出された遊技球を球受皿５に払い出すための球払出口１８が開設され、他方に球皿部３１の遊技球を後記する打球発射部２７ａへ供給するための球通口１９が開設される。２０は同じく前板６に開設され、上部の球受皿５から溢れる遊技球を下部の球受皿７に排出するための排出口である。そして、前板６の裏面に、球通口１９と連通し該球通口１９に流入した遊技球を打球発射部２７ａへ供給する打球供給装置２１が装着されている。該打球供給装置２１の裏面には、打球発射部２７ａに遊技球を供給する球供給口２２と上部の球受皿５の遊技球の球抜きをするための連通口２３が開設される。この連通口２３は排出口２０を介して下部の球受皿７に連通し、球抜きされた遊技球が下部の球受皿７に貯留されることになる。
【００１６】
一方、内枠２前面の下隅角部に金属製の支持板２４が固着される。該支持板２４は、上方へ突出する上板部２４ａと側方（内側）へ突出する側板部２４ｂとから正面Ｌ字状に成形され、その交差する角部に前記打球力調整ハンドル１３が取着される。また、上・側板部２４ａ，２４ｂの所定位置に係合孔２５，２５が開設され、これと対向して前記前板６の裏面に突設された係合片２６，２６がそれぞれ係合孔２５，２５に係合することにより、前板６が内枠２の前面に開閉自在に装着できるようになっている。
【００１７】
支持板２４の裏側に、発射レール２７とこれの打球発射部２７ａに供給される遊技球を打球するための打球杆２９を備えた打球発射装置２８とが設けられる。この打球杆２９は駆動源であるステッピングモータ（図示せず。）により駆動し、前記打球力調整ハンドル１３の回動動作と連動して往復回動するようになっている。しかも、前記打球供給装置２１も、打球杆２９と連係して球皿部３１から流入する遊技球を一個ずつ打球発射部２７ａへ供給する。
【００１８】
そこで、上部の球受皿５の球皿部３１に貯留された遊技球は、球通口１９を介して打球供給装置２１内に待機され、この状態で打球力調整ハンドル１３を握って回動させることにより打球杆２９が往復回動する。これに伴い、前記打球供給装置２１の球供給口２２から打球発射部２７ａへ遊技球が一個ずつ供給されると共にこれら遊技球が打球杆２９により打球されて遊技部３ａに打ち込まれる。なお、球受皿５に貯留される遊技球の球抜きをする場合は、該球受皿５の上面一側に設けられた球抜きボタン３０を押動する。これにより、図示は省略するが打球供給装置２１内の球抜き口が開放され、球受皿５の遊技球が打球供給装置２１内を通過し、その裏側の連通口２３、排出口２０を介して下部の球受皿７に貯留される。
【００１９】
前記上部の球受皿５における球皿部３１は、図４に示すように前側周縁を囲うように立壁３３が立設され、後縁は開放されている。また、その一側に前記立壁３３の上端縁を屈曲させてほぼ水平な棚板部３４が張設され、該棚板部３４に前記球抜きボタン３０が設けられる。そして、球皿部３１の底壁３１ａの上面は、球払出口１８側から球通口１９側まで緩やかに下傾している。
【００２０】
さらに球皿部３１を詳しく説明すると、図４、図５に示すように前記球皿部３１の底壁３１ａの上面に、前記球通口１９よりも上流側に位置して後端縁すなわち前板６の前面位置から上流側へ延びる仕切り壁３５が突設される。該仕切り壁３５は、下流側では遊技球が乗り越えられない程度の高さを有し、上流側に進むに従い漸次低く最終的にはその上端縁が前記底壁３１ａの上面に達する。また、球通口１９側では、仕切り壁３５がほぼ半円弧状に湾曲して設けられ、その先は上流に進むに従い前板６とほぼ平行となる。これにより、前記前板６と仕切り壁３５との間に、その底壁部３６ａの上面が球皿部３１の上流側に向かって緩やかに下傾し前記底壁３１ａの上面と連なる球留り部３６が成形される。
【００２１】
一方、球皿部３１の下流側であって仕切り壁３５と前記棚板部３４との間には、球皿部３１の底壁３１ａの上面に仕切り壁３５の外側を囲うようにして球誘導溝３７が凹設される。該球誘導溝３７は、上面が開口すると共に遊技球の直径とほぼ同じ溝幅寸法を有し、その下流端で球通口１９と連通する。また、該球誘導溝３７は、前記底壁３１ａの上面と連なる上流側から球通口１９に至るまで漸次深くなり、球通口１９の前側では、球誘導溝３７の深さが遊技球の直径の約２倍の寸法に設定される。しかも、球誘導溝３７の流下端は、球通口１９に対し直交している。
【００２２】
図８に示すように球通口１９の上方であって前板６の前面に、該球通口１９の前面上方を覆う庇板部３８が設けられる。該庇板部３８は前板６から前方へ突出すると共に球誘導溝３７とほぼ合致し、該球誘導溝３７の上面に位置する。該庇板部３８の上面３８ａは前側に向かって緩やかに下傾すると共に下面３８ｂは球通口１９側から前方へ向かって上方が窪む凹弧面に成形されている。また、庇板部３８の前端縁は断面が嘴状に尖っている。
【００２３】
前記球誘導溝３７の外側であって棚板部３４との間に、二条の第１段条部３９ａと第２段条部３９ｂとが設けられる。これら第１段条部３９ａと第２段条部３９ｂとはいずれもそれらの幅がほぼ遊技球の直径寸法と同じに設定され、それら上面が球皿部３１の上流側に向かって緩やかに下傾している。また、第１段条部３９ａよりその外側に配置される第２段条部３９ｂの方が一段高くなっており、いずれも球皿部３１の上流側の幅が狭くなり最終的に立壁３３の内周面に接することになる。第２段条部３９ｂの内端縁には、前板６の前面位置から途中まで該内端縁に沿って高さの低い突条４０が設けられる。
【００２４】
本発明に係るパチンコ遊技機は上記構成からなり、例えば上部の球受皿５に遊技球が貯留されると、これら遊技球の内、前記球留り部３６に入った遊技球は、底壁３１ａの上面のほぼ全体に遊技球がほぼ一杯ある状態ではその位置に滞留している。そして、底壁３１ａの上面の遊技球が少なくなってくると、図６乃至図８に示すようにそれに伴い少しずつ底壁３１ａの上側へ転動して流下し球通口１９へ向かう。
【００２５】
一方、球皿部３１の下流側では、図８に示すように球誘導溝３７内に入る遊技球、第１段条部３９ａの上面に乗る遊技球、第２段条部３９ｂの上面に乗る遊技球とそれぞれ異なるが、球誘導溝３７内を流下する遊技球はそのまま流下端の球通口１９に順次流入する。また、同じく球誘導溝３７内を２段になって流下する遊技球の内の上段の遊技球は、球通口１９の前側で庇板部３８の下面３８ａにより下方へ強制的に押し下げられ、そのまま球通口１９に流入する。この際、その上段の遊技球の更に上にある遊技球は、庇板部３８により掬われてその上面に乗る。そして、下流側の遊技球が減ってくるに従い球誘導溝３７内に戻り、球通口１９に流入する。この際、球誘導溝３７が球通口１９に対し直交する方向から接続されるので、球誘導溝３７内を流下する遊技球も球通口１９に流入し易い。
【００２６】
第１段条部３９ａの上面に乗った遊技球は、球誘導溝３７内の遊技球が少なくなるに従い、第１段条部３９ａの上面に沿って球皿部３１の上流側へ戻りつつ該球誘導溝３７内に落下する。また、第２段条部３９ｂの上面に乗った遊技球は、周囲に遊技球があるときはそのまま滞留している。そして、遊技球が少なくなるに従いそれら上面に沿って球皿部３１の上流側へ戻り、最終的に第１段条部３９ａを介して球誘導溝３７内に落下し該球誘導溝３７内を流下する。
【００２７】
このように本発明に係るパチンコ遊技機は、球皿部３１の底壁３１ａの上面に球通口１９よりも上流側に位置して前板６の前面から上流側へ延びる仕切り壁３５を突設し、前板６と仕切り壁３５との間に底壁部３６ａの上面が球皿部３１の上流側に向かって緩やかに下傾し底壁３１ａ上面と連なる球留り部３６を成形し、球皿部３１の遊技球は前記球留り部３６の外側の底壁３１ａ上面を転動して球通口１９に流入するようにした構成からなる。これによって、従来のように遊技球を球通口へ導く整流通路を成形するため球皿部３１の内周壁面を内側へ膨出させる必要がなくなり、その分広げられて球皿部３１における遊技球の貯留範囲を広められ球貯留量を増やすことができる。
【００２８】
また、球皿部３１の底壁３１ａの上面に球通口１９よりも上流側に位置して底壁部３６ａの上面が球皿部３１の上流側に向かって緩やかに下傾する球留り部３６を成形してなるので、球受皿５に貯留される遊技球の内、該球留り部３６に貯留される遊技球の球圧は球通口１９付近の遊技球には加わらないので、その分球通口１９付近にある遊技球への球圧が軽減され、これにより球噛みも防止される。
【００２９】
更に、前記球皿部３１の底壁３１ａの上面にその上流側から球通口１９に至るまで漸次深くなりかつ一個の遊技球が流下し得る程度の溝幅を有する球誘導溝３７を設け、該球誘導溝３７の側縁に該球誘導溝３７よりも高く一個の遊技球が乗り得る幅の第１・第２段条部３９ａ，３９ｂを設けるようにすれば、その第１・第２段条部３９ａ，３９ｂに遊技球が乗ることにより同じく球通口１９付近の遊技球への球圧が更に軽減され、球噛み防止効果が一段と向上する。
【００３０】
更にまた、球皿部３１の底壁３１ａの上面に流下端が球通口１９に対し直交する方向から接続される球誘導溝３７を凹設し、前板６の前面には前方へ突出して前記球通口１９の前面上方を覆う庇板部３８を設けるようにしたので、球通口１９が正面を向いて開放されることになり、前側から簡単に掃除が行え掃除がし易くなる。よって、これにより球通口１９付近で球詰まりが起こる危険性をなくすことができる。
【００３１】
図９乃至１４は、他の実施の形態に係る遊技機であるパチンコ遊技機を示す。なお、この実施の形態に係るパチンコ遊技機は、本発明に係るパチンコ遊技機と構成がほとんど同一であるので、同一部位については同一番号を附すことによりその部位についての詳しい説明は省略する。図９は他の実施の形態に係るパチンコ遊技機の正面図、図１０は同前板と球皿部とカバー部材とを分解して示す斜視図、図１１は球皿部の斜視図である。
【００３２】
この実施の形態に係るパチンコ遊技機Ｐ１では、上部の球受皿５の底壁３１ａであって球通口１９の前側における所定の位置に１個の遊技球が通過し得る程度の大きさの球抜口４３を開設している。すなわち、上部の球受皿５の球皿部３１における球誘導溝３７の外側で棚板部３４との間に二条の第１段条部３９ａと第２段条部３９ｂとが設けられるが、低い方の第１段条部３９ａの鉛直壁３９１側であって球通口１９に近寄らせた位置に球抜口４３が開設される。
【００３３】
この球抜口４３は、縦幅が遊技球のほぼ直径寸法に設定され、横幅が遊技球のほぼ直径寸法から直径寸法の約１．５倍の寸法までの間で設定される。これは、球皿部３１の上面に一度に多くの遊技球を入れたとき、それらの遊技球が球通口１９の前側付近であって第１・第２段条部３９ａ，３９ｂの上面に集中し、そこで球噛み現象が起こらないように抑制するためである。前記底壁３１ａの球通口１９の前側における所定の位置とは、専ら第１・第２段条部３９ａ，３９ｂであって、付近に遊技球が溜まっても球崩し作用が働いて遊技球同士が釣り合い動かなくなってしまわないように抑制できる範囲をいう。
【００３４】
球抜口４３には、上部の球受皿５の下方に配置され上下二部材からなる連絡樋４４が接続される。上側の連絡樋４４ａは側面Ｌ型に成形され、上下端部が開放している。該上側の連絡樋４４ａの下端部の外周面にネジ挿通孔４５を開設した筒状部４６が設けられている。一方、下側の連絡樋４４ｂは側面略コ字状に成形され、上下端部が開放している。また、下側の連絡樋４４ｂの上端部の外周面に前記筒状部４６に対向位置しかつ前面にネジ孔４８が設けられた突起４７が突設されている。
【００３５】
そして、上側の連絡樋４４ａの下端部と下側の連絡樋４４ｂの上端部を合わせると共に筒状部４６に突起４７を挿入し、この状態でネジ挿通孔４５を介してネジ孔４８にネジ４９を螺締することにより、上下の連絡樋４４ａ，４４ｂが一体に連結される。連絡樋４４は上端部の開口が球抜口４３と連通し、下端部の開口が下部の球受皿７に連通するようにして配置される。
【００３６】
そこで、球皿部３１に一度に多くの遊技球が入れられると、それらの遊技球は球誘導溝３７や第１・第２段条部３９ａ，３９ｂの上面に乗りながら球通口１９へ集中することになるが、図１２乃至図１４に示すように第１段条部３９ａに乗った遊技球の一部は球抜口４３に流入し、連絡樋４４を介して下部の球受皿７に導かれる。よって、遊技球が集中する球通口１９の前側付近であっても、球抜口４３へ遊技球が流入することにより一部の遊技球が逃げることになり、これにより球崩し作用が働いて遊技球同士が釣り合い動かなくなってしまう所謂球崩し現象が抑制されることになる。
【００３７】
他の実施の形態に係るパチンコ遊技機にあっては、球抜口４３を第１段条部３９ａの鉛直壁３９１面に開設したが、この位置に限られることはなく球噛み現象が抑制される位置であれば、第１段条部３９ａの水平壁面又は第２段条部３９ｂの水平壁面、鉛直壁面のいずれに設けるようにしても良い。
【００３８】
なお、本実施の形態及び他の実施の形態にあっては、開閉部材として前板６について説明したが、他に例えば前板が一体に成形された透明板保持枠についても本発明が適用できることは勿論である。
【図面の簡単な説明】
【００３９】
【図１】本発明に係るパチンコ遊技機の正面図。
【図２】同透明板保持枠及び前板を開いた状態の斜視図。
【図３】前板と球皿部とカバー部材とを分解して示す斜視図。
【図４】球皿部の斜視図。
【図５】前板に装着された上部の球受皿の平面図。
【図６】図５のＸ−Ｘ線断面図。
【図７】図５のＹ−Ｙ線断面図。
【図８】図５のＺ−Ｚ線断面図。
【図９】他の実施の形態に係るパチンコ遊技機の正面図。
【図１０】同前板と球皿部とカバー部材とを分解して示す斜視図。
【図１１】同球皿部の斜視図。
【図１２】同前板に装着された上部の球受皿の平面図。
【図１３】図１２のＶ−Ｖ線断面図。
【図１４】図１２のＷ−Ｗ線断面図。
【符号の説明】
【００４０】
５                      上部の球受皿
６                      開閉部材（前板）
１９                    球通口
２７ａ                  打球発射部
３１                    球皿部
３１ａ                  底壁
３５                    仕切り壁
３６                    球留り部
３６ａ                  底壁部
３７                    球誘導溝
３９ａ                  第１段条部
３９ｂ                  第２段条部
４３                    球抜口
Ｐ                      遊技機（パチンコ遊技機）
【図１】
2008029795.tif 000003
【図２】
2008029795.tif 000004
【図３】
2008029795.tif 000005
【図４】
2008029795.tif 000006
【図５】
2008029795.tif 000007
【図６】
2008029795.tif 000008
【図７】
2008029795.tif 000009
【図８】
2008029795.tif 000010
【図９】
2008029795.tif 000011
【図１０】
2008029795.tif 000012
【図１１】
2008029795.tif 000013
【図１２】
2008029795.tif 000014
【図１３】
2008029795.tif 000015
【図１４】
2008029795.tif 000016